(57)【要約】【課題】ディスクを挟持するクランパとターンテーブルとの接触による異音を軽減する。【解決手段】ターンテーブル１２に設けた磁石１３とクランパ２０に上下方向に可動自在に設けたクランパ用磁性体２１とが磁力により吸引される際、クランパ２０の下面に形成した凸部２４がターンテーブル１２を押圧することでクランパ２０の湾曲部２３が変形して、クランパ用磁性体２１は磁石１３との磁力の吸引力に抗して反対側に移動する。これによりクランパ２０とターンテーブル１２との接触に伴う衝撃を湾曲部２３で減衰することができる。【選択図】図６
2007273029.tif 000002
【特許請求の範囲】
【請求項１】
回転されるターンテーブルと、このターンテーブルに載置されるディスク状記憶媒体を前記ターンテーブルと磁力の吸引力により挟持する前記ターンテーブルの上方に配設したクランパを備えた記録再生装置であって、前記ディスク状記憶媒体が前記ターンテーブルと前記クランパとの間に介在せずに、前記ターンテーブルに設けたターンテーブル用磁性体と前記クランパに上下方向に可動自在に設けたクランパ用磁性体とが磁力により吸引される際、前記クランパの下面に形成した凸部がターンテーブルを押圧することで前記クランパに形成した湾曲部を撓ませて変形させ、この湾曲部の変形に伴い押し上げられるクランパ用磁性体が、前記ターンテーブル用磁性体との磁力の吸引力に抗して、磁力の吸引方向の反対方向側である上方に移動するように構成したことを特徴とするクランパを備えた記録再生装置。
【請求項２】
前記ターンテーブル用磁性体又は前記クランパ用磁性体の一方は少なくとも磁石であることを特徴とする請求項１記載のクランパを備えた記録再生装置。
【請求項３】
前記ターンテーブル用磁性体及び前記クランパ用磁性体は、両者磁石であることを特徴とする請求項１記載のクランパを備えた記録再生装置。
【発明の詳細な説明】
【技術分野】
【０００１】
本発明は記録再生装置内に搬入されるディスク状記憶媒体（以下、単にディスクと称す）を回転するためにターンテーブルと共に前記ディスクを保持するクランパを備えた記録再生装置に関し、より詳しくは、ディスクを挟持するクランパとターンテーブルとの接触などにより発生する異音を抑えたクランパを備えた記録再生装置に関する。
【背景技術】
【０００２】
従来から、ＣＤなどのディスクの記録或いは再生を行う記録再生装置においては、その記録再生装置の外側に搬出されるトレイにディスクを載置させ、載置されたディスクを記録再生装置内で挟持するなどしてディスクの記録或いは再生を行う方法が採られている。
【０００３】
こうしたディスクの記録或いは再生を行うための一般的な記録再生装置においては、装置内部へと搬入されたディスクの片方の面である記録面側を載置するターンテーブルを有し、記録面側の反対面であるレーベル面側の上方に配置したクランパと前記ターンテーブルとによりディスクを挟持し、該ディスクをモーターの駆動力によってクランパ及びターンテーブルと共に回転させ、回転しているディスクの記録面側にピックアップユニットからのレーザー光を照射して、レーザー光が反射する光を受光装置たるピックアップユニットにて受光することによって、ディスクの記録或いは再生が行われるようになっている。
【０００４】
ところで、ターンテーブルとクランパとによるディスクの挟持については、磁石による吸引力を利用する場合が多い。例えば、一般的にはクランパの内部に磁石を組み付けると共に、前記クランパと対向位置にあるターンテーブルの表面には前記磁石との間で吸引力が発生するように磁性体を組み付けることでディスクを挟持する際に磁力を利用する。このような装置では、一般的に装置内部の所定位置にディスクが搬入された際、ターンテーブルとクランパとでディスクを挟持することになるが、前記所定位置にディスクが配置されていないときには、ターンテーブルとクランパとが磁力により吸着することで接触音としての異音が発生してしまうといった問題を招いていた。
【０００５】
前述した異音の発生を解決する手段として、特許文献１には、ターンテーブルとクランパとの間隔が予め設定した所定間隔を下回ったときに、前記ターンテーブル側に設けた第１の磁性体と該第１の磁性体に吸着するクランパ側の第２の磁性体との間で生じる磁力を減衰させる磁力減衰構造を備え、この磁力減衰構造により、クランパとターンテーブルとが吸着した際の音を軽減するものが提案されている。
【０００６】
【特許文献１】特開２００５−２５８３８号公報
【発明の開示】
【発明が解決しようとする課題】
【０００７】
しかし、前記特許文献１では、磁力減衰構造によりクランパとターンテーブルとが吸着した際の音を軽減することは可能であると考えられるが、前記クランパの略中央部分に切欠きなどを形成し、且つ磁性体となる板金部材を強制的に変形させて磁力を減衰させる構造としているため、クランパ及び板金部材の変形や反りが懸念される。また、近年の記録再生装置ではターンテーブルの回転の高速化が進んでおり、強力な磁力を有する磁石を用いてクランパとターンテーブルとによりディスクがスリップしないように強固に挟持することが不可欠となっており、強力な吸引力に対応したクランパが必要となるが、ディスクの高速回転化に併せて装置の薄型化についてもユーザから望まれており、結果としてクランパの厚みが制限されてターンテーブルと共にディスクを挟持するクランパが磁石の吸引力の影響により反ってしまい、回転時にディスクがスリップしてディスクの読み込みや書き込みに影響を与える虞がある。
【０００８】
本案件は上述した問題点に鑑みてなされたものであり、ディスクを挟持するクランパとターンテーブルとの吸着による異音を軽減することができるクランパを備えた記録再生装置を提供することを目的とする。
【課題を解決するための手段】
【０００９】
本発明の請求項１のクランパを備えた記録再生装置は、回転されるターンテーブルと、このターンテーブルに載置されるディスク状記憶媒体を前記ターンテーブルと磁力の吸引力により挟持する前記ターンテーブルの上方に配設したクランパを備えた記録再生装置であって、前記ディスク状記憶媒体が前記ターンテーブルと前記クランパとの間に介在せずに、前記ターンテーブルに設けたターンテーブル用磁性体と前記クランパに上下方向に可動自在に設けたクランパ用磁性体とが磁力により吸引される際、前記クランパの下面に形成した凸部がターンテーブルを押圧することで前記クランパに形成した湾曲部を撓ませて変形させ、この湾曲部の変形に伴い押し上げられるクランパ用磁性体が、前記ターンテーブル用磁性体との磁力の吸引力に抗して、磁力の吸引方向の反対方向側である上方に移動するように構成したことを特徴とする。
【００１０】
本発明の請求項２のクランパを備えた記録再生装置は、請求項１記載のクランパを備えた記録再生装置において、前記ターンテーブル用磁性体又は前記クランパ用磁性体の一方は少なくとも磁石であることを特徴とする。
【００１１】
本発明の請求項３のクランパを備えた記録再生装置は、請求項１記載のクランパを備えた記録再生装置において、前記ターンテーブル用磁性体及び前記クランパ用磁性体は、両者磁石であることを特徴とする。
【００１２】
上記クランパを備えた記録再生装置によれば、クランパとターンテーブルとの間にディスクが介在されていない状態でクランパとターンテーブルとが磁力により吸着されても、湾曲部によりクランパとターンテーブルとの吸着に伴う衝撃を減衰することが可能となる。また、クランパとターンテーブルとの間にディスクが介在されていない状態で前記クランパと前記ターンテーブルとが磁力により吸着される際に、ターンテーブル用磁性体からクランパ用磁性体を吸引方向と反対側の方向へと移動させる構造としているため、両磁性体間で生じる磁力を弱めることができ、前記クランパから前記ターンテーブルを引きつける力を軽減することが可能となる。
【発明の効果】
【００１３】
本発明によれば、クランパとターンテーブルとの間にディスクが介在されていない状態でクランパとターンテーブルとが磁力により吸引されても、湾曲部がクランパとターンテーブルとの衝撃を減衰するので、クランパとターンテーブルとが接触した際の異音の発生を軽減することができ、記録再生装置の品質向上を図ることができる。また、クランパ用磁性体を上下方向に可動自在に設け、クランパとターンテーブルとの間にディスクが介在されていない状態で前記クランパ用磁性体を上方に移動させる構造としているため、ターンテーブル用磁性体とクランパ用磁性体との間で生じる磁力を弱め、前記クランパから前記ターンテーブルを引きつける力を軽減することができる。
【発明を実施するための最良の形態】
【００１４】
以下、本発明を実施するための最良の形態としての実施例を説明する。もちろん、本発明は、その発明の趣旨に反しない範囲で、実施例において説明した以外の構成のものに対しても容易に適用可能なことは説明を要するまでもない。
【００１５】
本発明の一例について図１〜図６により以下に説明する。図１はクランパとターンテーブルとが離間した状態を示す断面図、図２はクランパにクランパ用磁性体を取り付けた状態を示す平面図、図３はクランパにクランパ用磁性体を取り付けた状態を示す断面図、図４はクランパを示す平面図である。これらの図に示すように本実施例における記録再生装置１０は、この記録再生装置１０の内部にモーター１１で回転駆動されるターンテーブル１２を備え、このターンテーブル１２の上部にはターンテーブル用磁性体としての磁石１３が組み付けられている。
【００１６】
また、ターンテーブル１２の上方にはこのターンテーブル１２と離間してクランパ２０が設けられており、ターンテーブル１２に構成される磁石１３と相互に吸引する金属製のクランパ用磁性体２１がクランパ２０の上方側に上下動可能に取り付けられており、可動範囲である隙間Sの範囲内においてクランパ用磁性体２１が上下に移動可能となっている。
【００１７】
図５はクランパとターンテーブルとによってディスク状記憶媒体たるディスクを挟持した状態を示す断面図である。同図に示すように、ターンテーブル１２は図１に示した状態から上方に移動するように構成されており、クランパ２０とターンテーブル１２とが離間した状態から、ターンテーブル１２が上方に移動することでディスクＤを載置し、ターンテーブル１２に載置されたディスクＤをクランパ２０とターンテーブル１２とにより挟持する。そして、このような状態でモーター１１の回転駆動によりディスクＤがクランパ２０とターンテーブル１２と共に回転されることで、ディスクＤの再生や記録が行なわれる。
【００１８】
また、クランパ２０には上方に突設したリブ２２が形成されており、クランパ２０とターンテーブル１２とでディスクＤを挟持した際、リブ２２にクランパ用磁性体２１の下面の一部が押圧した状態で当接する。
【００１９】
クランパ２０の中央部付近には上方に突出した湾曲部２３を形成し、また、この湾曲部２３の下側には下方に突設した凸部２４を形成している。
【００２０】
図６はクランパとターンテーブルとが吸着した状態を示す断面図である。同図に示すように、クランパ２０とターンテーブル１２との間にディスクＤが介在しない状態でターンテーブル１２が上方に移動してこのターンテーブル１２とクランパ２０とが磁石１３とクランパ用磁性体２１との磁力により吸引した際には、クランパ２０に形成した湾曲部２３の凸部２４がターンテーブル１２の上面に当接することで湾曲部２３が上方に撓む。このように湾曲部２３が撓み変形すると、この変形に伴いクランパ用磁性体２１が上方へと持ち上げられることから、ターンテーブル１２の磁石１３により下方に吸引されているクランパ用磁性体２１をその吸引方向に抗して上方に持ち上げることができる。これにより、クランパ２０とターンテーブル１２との間にディスクＤが配置されていない状態であっても、クランパ２０とターンテーブル１２とが強力な磁力の吸引力により接触する衝撃を湾曲部２３で減衰するので、クランパ２０とターンテーブル１２との接触に伴う異音の発生を軽減することができる。
【００２１】
また、クランパ２０とターンテーブル１２とによりディスクＤを挟持する際には、ターンテーブル１２に備えた磁石１３の吸引力の影響でクランパ用磁性体２１が吸引されることとなるが、この際にクランパ用磁性体２１がリブ２２に向かって押圧するように当接するため、リブ２２を構成するクランパ２０が上方に反ることを抑えた状態で、クランパ２０とターンテーブル１２でディスクＤを挟持することが可能となり、挟持したディスクＤがモーター１１の回転駆動に伴い高速回転されても、クランパ２０などの部材の反りなどの原因でスリップすることを防止することが可能となる。
【００２２】
以上のように本実施例における記録再生装置１０によれば、クランパ用磁性体２１などの磁性体が磁力の吸引力で変形することがないよう湾曲部２３で衝撃を吸収でき、クランパ２０とターンテーブル１２とが吸着、つまりこれらの接触による異音の発生を軽減することができる。さらにクランパ２０がターンテーブル１２と吸着する際に反ることを防止してディスクＤの回転時のスリップ防止を可能とした記録再生装置１０を提供することができるものであり、ディスクＤがターンテーブル１２とクランパ２０との間に介在せずに、ターンテーブル１２に設けたターンテーブル用磁性体たる磁石１３とクランパ２０に上下方向に可動自在に設けたクランパ用磁性体２１とが磁力により吸引される際、クランパ２０に形成した湾曲部２３の下面に形成した凸部２４がターンテーブル１２を押圧することでクランパ２０の湾曲部２３を撓ませて変形させる。そして、この湾曲部２３の変形に伴い上方に押し上げられるクランパ２０のクランパ用磁性体２１が、ターンテーブル１２の磁石１３との磁力の吸引力に抗して、磁力の吸引方向の反対方向側である上方に押し上げられ移動（隙間Ｓの寸法分）する。これにより、クランパ２０とターンテーブル１２との間にディスクＤが介在されていない状態でクランパ２０とターンテーブル１２とが磁力により吸着されても、湾曲部２３がクランパ２０とターンテーブル１２との吸着に伴う衝撃を吸収する。さらに、湾曲部２３が変形することで、磁石１３に対してクランパ用磁性体２１を上方に移動させ、隙間Ｓの寸法分を離間することができるので、磁力による吸引力を極力抑えることができる。よって、クランパ２０とターンテーブル１２とが接触した際の異音の発生を軽減することができ、記録再生装置１０の品質向上を図ることが可能となる。また、クランパ２０に対するターンテーブル１２の引きつける力を、磁石１３とクランパ用磁性体２１とを離間することで軽減できることから、前記ターンテーブル２０を磁力の吸引方向へ移動する際に要するための駆動力の軽減、及び図示しない駆動機構への負荷を軽減することが可能となる。
【００２３】
以上、本発明の一例を詳述したが、前記実施例に限定されるものではなく、例えば、金属製のクランパ用磁性体２１に代えて磁石を用いてもよく、また、クランパ用磁性体２１として磁石を用いる一方で、ターンテーブル１２の磁石１３の代わりに金属製の磁性体を用いるなど、クランパ２０とターンテーブル１２とが磁力で吸引されるのであれば、本発明の要旨の範囲内で種々の変形実施を適用してもよい。
【図面の簡単な説明】
【００２４】
【図１】本発明の一例における記録再生装置のクランパとターンテーブルとが離間した状態を示す断面図である。
【図２】同上、クランパにクランパ用磁性体を取り付けた状態を示す平面図である。
【図３】同上、クランパにクランパ用磁性体を取り付けた状態を示す断面図である。
【図４】同上、クランパを示す平面図である。
【図５】同上、クランパとターンテーブルとによってディスクを挟持した状態を示す断面図である。
【図６】同上、クランパとターンテーブルとが吸着した状態を示す断面図である。
【符号の説明】
【００２５】
１０  記録再生装置
１２  ターンテーブル
１３  磁石（ターンテーブル用磁性体）
２０  クランパ
２１  クランパ用磁性体
２３  湾曲部
２４  凸部
Ｄ  ディスク（ディスク状記憶媒体）
【図１】
2007273029.tif 000003
【図２】
2007273029.tif 000004
【図３】
2007273029.tif 000005
【図４】
2007273029.tif 000006
【図５】
2007273029.tif 000007
【図６】
2007273029.tif 000008